【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
断熱導管であって、
（ａ）接合部において互いに封止された内管および外管であって、
前記内管および前記外管は、当該内管と当該外管との間に減圧空間である封止断熱空間を画定するものであり、さらに、
第１の壁部および第２の壁部により画定されたベントを有し、このベントは前記封止断熱空間と連通してガス分子を当該空間から排出するための出口経路を提供するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものであり、
前記内管および前記外管の少なくとも１つは、所定の長さを有する波形領域を有し、この波形領域は複数の波形部を有するものである、
前記内管および前記外管、または、
（ｂ）第２の弧状シェルに封止された第１の弧状シェルであって、
前記封止された前記第１の弧状シェルおよび前記第２の弧状シェルは第１の管を画定するものであり、
前記第１の管の内部に第２の管が配置されることで前記第１の管と当該第２の管との間に封止断熱空間が画定されるものであり、
前記第２の管は前記第１の管と同軸上にあるものであり、
上記部品は、さらに、
第１の壁部および第２の壁部により画定されたベントを有し、このベントは前記封止断熱空間と連通してガス分子を当該空間から排出するための出口経路を提供するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものである、
前記第２の弧状シェルに封止された第１の弧状シェル、または、
（ｃ）第２の弧状シェルに封止された第１の弧状シェルであって、
前記第１の弧状シェルおよび前記第２の弧状シェルの各々は内部に封止断熱空間を画定するものであり、
前記封止された前記第１の弧状シェルおよび前記第２の弧状シェルは第１の管を画定するように組み立てられるものであり、
前記第１の弧状シェルおよび前記第２の弧状シェルの各々は、前記第１の弧状シェルおよび前記第２の弧状シェルの各封止断熱空間と連通してガス分子を当該空間から排出するための出口経路を提供するベントを有し、
前記ベントは、前記第２の弧状シェルに向かって延びる前記第１の弧状シェルの領域によって、前記第１の弧状シェルに向かって延びる前記第２の弧状シェルの領域によって、またはその両方によって画定される第１の壁と第２の壁とを有するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものである、
前記第２の弧状シェルに封止された第１の弧状シェル
を有する、断熱導管。
【請求項２】
請求項１記載の断熱導管において、前記封止断熱空間は、約１０―２トルから約１０―９トルの範囲の圧力を有するものである、断熱導管。
【請求項３】
請求項１または２記載の断熱導管において、当該断熱導管は、
接合部において互いに封止された内管および外管であって、
前記内管および前記外管は、当該内管と当該外管との間に減圧空間である封止断熱空間を画定するものであり、さらに、
第１の壁部および第２の壁部により画定されたベントを有し、このベントは前記封止断熱空間と連通してガス分子を当該空間から排出するための出口経路を提供するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものであり、
前記内管および前記外管の少なくとも１つは、所定の長さを有する第１の波形領域を有し、この第１の波形領域は複数の波形部を有するものである、
前記内管および前記外管を有するものである、
断熱導管。
【請求項４】
請求項３記載の断熱導管において、前記外管は所定の長さを有する第１の波形領域を有し、この第１の波形領域は複数の波形部を有するものである、断熱導管。
【請求項５】
請求項４記載の断熱導管において、前記外管の一部分はシェルであることを特徴とする、断熱導管。
【請求項６】
請求項３記載の断熱導管において、前記内管は所定の長さを有する第１の波形領域を有し、この第１の波形領域は複数の波形部を有するものである、断熱導管。
【請求項７】
請求項５記載の断熱導管において、前記外管は第１の波形領域を有し、
前記外管の前記第１の波形領域は、前記内管の第１の波形領域と少なくとも部分的に整合するものである、断熱導管。
【請求項８】
請求項３記載の断熱導管において、前記外管は基端部と先端部とを有し、
前記外管の第１の波形領域は、所定の長さと複数の波形部とを有し、前記外管に沿って前記先端部から前記基端部に向かって延びるものである、断熱導管。
【請求項９】
請求項３記載の断熱導管において、前記内管は基端部と先端部とを有し、
前記外管の第１の波形領域は、所定の長さと複数の波形部とを有し、前記外管に沿って前記先端部から前記基端部に向かって延びるものである、断熱導管。
【請求項１０】
請求項１または２記載の断熱導管において、当該断熱導管は、
第２の弧状シェルに封止された第１の弧状シェルであって、
前記封止された前記第１の弧状シェルおよび前記第２の弧状シェルは第１の管を画定するものであり、
前記第１の管の内部に第２の管が配置されることで前記第１の管と当該第２の管との間に封止断熱空間が画定されるものであり、
前記第２の管は前記第１の管と同軸上にあるものであり、
上記部品は、さらに、
第１の壁部および第２の壁部により画定されたベントを有し、このベントは前記封止断熱空間と連通してガス分子を当該空間から排出するための出口経路を提供するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものである、
前記第２の弧状シェルに封止された第１の弧状シェルを有するものである、
断熱導管。
【請求項１１】
請求項９記載の断熱導管において、前記第２の管は湾曲しているものである、断熱導管。
【請求項１２】
請求項９または１０記載の断熱導管において、前記第２の管は、前記第１の弧状シェルおよび前記第２の弧状シェルを組み立てることによって形成されるものである、断熱導管。
【請求項１３】
請求項１または２記載の断熱導管において、当該断熱導管は、
第２の弧状シェルに封止された第１の弧状シェルであって、
前記第１の弧状シェルおよび前記第２の弧状シェルの各々は内部に封止断熱空間を画定するものであり、
前記封止された前記第１の弧状シェルおよび前記第２の弧状シェルは第１の管を画定するように組み立てられるものであり、
前記第１の弧状シェルおよび前記第２の弧状シェルの各々は、前記第１の弧状シェルおよび前記第２の弧状シェルの各封止断熱空間と連通してガス分子を当該空間から排出するための出口経路を提供するベントを有し、
前記ベントは、前記第２の弧状シェルに向かって延びる前記第１の弧状シェルの領域によって、前記第１の弧状シェルに向かって延びる前記第２の弧状シェルの領域によって、またはその両方によって画定される第１の壁と第２の壁とを有するものであり、
前記ベントは、当該ベントを通じた前記ガス分子の排出後前記封止断熱空間内の真空を維持するように封止可能なものであり、
前記第１の壁と前記第２の壁との間の距離が前記ベントに隣接する前記封止断熱空間の一部において可変になっていることで、前記封止断熱空間の排気中に前記第１の壁および前記第２の壁の可変距離部分によって前記封止断熱空間内の前記ガス分子が前記ベントに向かって方向付けられるものであり、
前記第１の壁および前記第２の壁の前記可変距離部分によって前記ガス分子が方向付けられることにより、前記ガス分子が前記封止断熱空間内に進入する確率よりも前記封止断熱空間から排出される確率が高くなるものである、
前記第２の弧状シェルに封止された第１の弧状シェルを有するものである、
断熱導管。
【請求項１４】
請求項１３記載の断熱導管において、前記第１および第２の弧状シェルは湾曲しているものである、断熱導管。
【請求項１５】
請求項１３記載の断熱導管において、前記第１および第２の弧状シェルは、当該第１および第２の弧状シェルのフランジに沿って封止されるものである、断熱導管。
【手続補正２】
【補正対象書類名】明細書
【補正対象項目名】０００３
【補正方法】変更
【補正の内容】
【０００３】
様々な高性能用途で優れた断熱品質を有する導管が必要とされている。しかしながら、これらの用途では、屈曲した導管や捩じれた導管、湾曲した導管を含む様々な形状の導管が必要された。また、これらの用途では、例えば断熱されていない管などの部品周りに断熱ジャケットを配置する必要がある場合がある。既存技術は、そのような断熱ジャケットを、特に湾曲した形状または変則的な形状のルーメンを囲むジャケットを製造する性能を提供するものではない。したがって、当技術においては、湾曲した形状または変則的な形状のルーメンを囲む断熱ジャケット、およびそのようなジャケットを製造する方法に対して長期にわたるニーズがある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，２１６，７４５号明細書
（特許文献２）  米国特許出願公開第２０１４／００９０７３７号明細書
（特許文献３）  米国特許第３，１４６，００５号明細書
（特許文献４）  米国特許第４，５１５，３９７号明細書
（特許文献５）  米国特許出願公開第２０１１／００５６５８２号明細書
（特許文献６）  米国特許出願公開第２００６／００５４２３４号明細書
（特許文献７）  米国特許出願公開第２００６／００６１０９２号明細書
（特許文献８）  米国特許出願公開第２００８／０１２１６４２号明細書
（特許文献９）  米国特許第４，３３２，４０１号明細書